(57)【要約】【課題】店舗領域を自由に拡大、縮小できる組立、解体が容易なユニット化された店舗構造を提供するとともに、組立設置前後における店舗領域内の販売パーティション（販売区画）を自由に形成することが可能な組立ユニット店舗構造を提供することを課題とする。【解決手段】相互に連結可能な床パネル１が配設されて形成される床面と、相互に連結可能な壁パネル３が配設され、かつ、床パネル１に連結されて形成される壁面とを備えるとともに、床面と壁面とで形成される店舗等の販売領域内を複数の区画に形成するために、床面を構成する複数の床パネル１に連結される間仕切り部材４０を設けて、上記課題を解決する。【選択図】                図１
2004332246.tif 000002
【特許請求の範囲】
【請求項１】
相互に連結可能な床パネルが配設されて形成される床面と、相互に連結可能な壁パネルが配設され、かつ、前記床パネルに連結されて形成される壁面とから構成される組立ユニット店舗構造。
【請求項２】
請求項１記載の組立ユニット店舗構造において、前記床面と前記壁面とで形成される領域を複数の区画に分割する間仕切り部材が配設されることを特徴とする組立ユニット店舗構造。
【請求項３】
請求項２記載の組立ユニット店舗構造において、前記床パネルに前記間仕切り部材が連結される連結部を設け、前記領域を形成する前記床面に複数配設される前記床パネルの前記連結部に前記間仕切り部材を連結することで、前記区画が形成されることを特徴とする組立ユニット店舗構造。
【請求項４】
請求項１〜３いずれか記載の組立ユニット店舗構造において、前記床パネルと前記床パネルに連結される前記壁パネルとの縦断面が略々Ｌ字形となるように連結されることを特徴とする組立ユニット店舗構造。
【請求項５】
請求項１〜４いずれか記載の組立ユニット店舗構造において、前記店舗領域の角部に配設される前記壁パネルの横断面が略々Ｌ字形に形成されていることを特徴とする組立ユニット店舗構造。
【請求項６】
請求項１〜５いずれか記載の組立ユニット店舗構造において、前記壁パネルには、商品を展示若しくは販売する展示ユニットが設置される展示ユニット取付部が備えられることを特徴とする組立ユニット店舗構造。
【請求項７】
請求項１〜６いずれか記載の組立ユニット店舗構造において、前記間仕切り部材には、商品を展示する展示台が取付けられることを特徴とする組立ユニット店舗構造。
【請求項８】
請求項１〜７いずれか記載の組立ユニット店舗構造において、前記床パネルには照明装置が内蔵されていることを特徴とする組立ユニット店舗構造。
【請求項９】
請求項１〜８いずれか記載の組立ユニット店舗構造において、前記壁パネルには照明装置が内蔵されていることを特徴とする組立ユニット店舗構造。
【請求項１０】
相互に連結可能な床パネルが配設されて形成される床面と、相互に連結可能な壁パネルが配設され、かつ、前記床パネルに連結されて形成される壁面とから構成される組立ユニット店舗構造において、
前記床パネルに照明装置を内蔵し、前記床面と前記壁面とで形成される領域に配設される前記床パネルを前記照明装置により発光させて、前記領域内に複数の区画を形成することを特徴とする組立ユニット店舗構造。
【請求項１１】
請求項１０記載の組立ユニット店舗構造において、前記壁パネルには、照明装置が内蔵されることを特徴とする組立ユニット店舗構造。
【発明の詳細な説明】
【０００１】
【発明の属する技術分野】本発明は、パネル材等の部材を用いて組立店舗に係る技術分野に属する。
【０００２】
【従来の技術】一般に、屋外、屋内にかかわらず短期的、臨時的に構築される建屋、設置物等の構造物としては、組立式の構造様式が採用されている。この組立式の構造様式による構造物は、主として、商品を販売する販売員が構造物内に常駐し、商品を組立式構造様式の外面側に陳列して、商品を消費者や顧客に対し、対面式の販売を行うことを目的としている。したがって、該構造部材を可能な限り共通化、例えば、壁材等を大きさや形状を統一化させ、さらには、壁材等自体を単純構造（扉や陳列棚の取付構造の単純化など）とし、組立の際の連結工事や解体の際の離脱工事を共通化、標準化、単純化させることで、該構造物の組立、解体の容易化を図っている。
【０００３】
上記従来の組立式の構造物に係る技術としては、例えば、以下に記載のものが知られている。
【０００４】
【特許文献１】実開昭６０−７７６５８号公報
【０００５】
特許文献１には、構造部材としての土台フレーム、柱フレーム、床材、壁材を備えた組立式構造物が記載されている。この特許文献１に係る組立式構造物は、床材、壁材が比較的大形に形成され、床パネルが土台フレームに取付けられ、壁パネルが柱フレームに取付けられるようになっている。
【０００６】
【発明が解決しようとする課題】しかし、上記従来の組立式の構造物では、組立の際に土台フレーム、柱フレームで軸組を構築しながら床材、壁材を取付けていかなければならず、さらには、土台フレーム、床材、壁材等がユニット化されていないため、店舗領域、商品等の販売形態変更（立地条件に合わせた店舗領域の拡大や商品陳列変更によるパーティション変更等）が極めて困難である。したがって、店舗領域を自由に変更、構築することが困難である課題を有する。
【０００７】
さらには、上記組立式の構造物は、解体の際に床材、壁材を取外しながら土台フレーム、柱フレームの軸組を離脱させなければならないため、組立、解体が困難である課題を有している。
【０００８】
さらに、上記組立式の構造物は、デパートやショッピングセンター、駅構内等に設置し、商品を該構造物の外側に向けて陳列して販売する販売形態とならざるを得ない構造となっているため、商品陳列領域が該構造物の設置場所により制限されてしまう課題を有する（例えば、角地に略々四角状の該構造物を配置すると、２面側での商品陳列、販売しかできなくなる）。
【０００９】
さらに、このような従来の該構造物を利用して、該構造物内での商品販売を行う場合には、商品陳列棚等の設置や商品毎に販売区域を仕切るパーティション形成が、土台フレームと床材、壁材等の規格（大きさ）に制限され、店舗領域内に自由な販売パーティションを形成することは困難である課題を有する。
【００１０】
よって、上記組立式の構造物では、構造物の組立設置後における店舗領域の拡大、縮小等の変更、調整の自由度が低くならざるを得ず、さらには、組立設置前後における販売パーティションの形成が容易に行えない課題を有する。
【００１１】
本発明は、このような問題点を考慮してなされたもので、店舗領域を自由に拡大、縮小できる組立、解体が容易なユニット化された店舗構造を提供するとともに、組立設置前後における店舗領域内の販売パーティション（販売区画）を自由に形成することが可能な組立ユニット店舗構造を提供することを課題とする。
【００１２】
【課題を解決するための手段】前述の課題を解決するため、本発明に係る組立ユニット店舗構造は、次のような手段を採用する。
【００１３】
即ち、請求項１では、相互に連結可能な床パネルが配設されて形成される床面と、相互に連結可能な壁パネルが配設され、かつ、前記床パネルに連結されて形成される壁面とから構成される。
【００１４】
この手段では、一定の領域、例えば、屋内等に、相互に連結可能な床パネルを配設し、さらに、相互に連結可能な壁パネルを配設することで、屋内の設置スペースに適合させた店舗領域を形成することが可能となり、屋内の設置スペース全体に対して床パネルと壁パネルを複数配設することも可能となる（店舗リニューアルや改装等にも利用可能となる）。さらには、屋外等の設置スペースに店舗領域を形成する場合など、床パネルと壁パネルとを複数配設することで、任意の店舗領域を確保しつつ、形成することが可能となる。
【００１５】
また、請求項２では、請求項１記載の組立ユニット店舗構造において、前記床面と前記壁面とで形成される領域を複数の区画に分割する間仕切り部材が配設されることを特徴とする。
【００１６】
この手段では、間仕切り部材が床面と壁面とで形成される領域を複数の区画に分割することが可能となる。したがって、商品等の展示、販売の形態に適合する任意の区画を形成することが可能となる。
【００１７】
また、請求項３では、請求項２記載の組立ユニット店舗構造において、前記床パネルに前記間仕切り部材が連結される連結部を設け、前記領域を形成する前記床面に複数配設される前記床パネルの前記連結部に前記間仕切り部材を連結することで、前記区画が形成されることを特徴とする。
【００１８】
この手段では、形成したい区画に配設される複数の床パネルの連結部に間仕切り部材を連結することで、領域に区画が形成される。
【００１９】
また、請求項４では、請求項１〜３記載の組立ユニット店舗構造において、前記床パネルと前記床パネルに連結される前記壁パネルとの縦断面が略々Ｌ字形となるように連結又は固定されることを特徴とする。
【００２０】
この手段では、床パネル、壁パネルを縦断面がＬ字形の自立性のある構造部材とすることで、床パネル、壁パネルのそれぞれ互いの直接的な連結のみで床面、壁面を形成することができるようになり、組立の際の連結工事や解体の際の離脱工事が完全に共通化、標準化される。
【００２１】
また、請求項５では、請求項１〜４いずれか記載の組立ユニット店舗構造において、前記店舗領域の角部に配設される前記壁パネルの横断面が略々Ｌ字形に形成されていることを特徴とする。
【００２２】
この手段では、壁パネルの角部における突合わせての連結が不要になる。
【００２３】
また、請求項６では、請求項１〜５いずれか記載の組立ユニット店舗構造において、前記壁パネルには、商品を展示若しくは販売する展示ユニットが設置される展示ユニット取付部が備えられることを特徴とする。
【００２４】
この手段では、商品を展示若しくは販売する展示ユニットが、壁面を形成する壁パネルに設置されるため、設置スペース等に適合する壁面への展示ユニット取付け（設置スペースにより展示ユニットを取付る壁面方向を変更することなど）が可能となるとともに、展示ユニットの変更（規格の違う展示ユニット）をする場合、変更される展示ユニットに適合する壁面を、壁パネルにより形成することが可能となる。
【００２５】
また、請求項７では、請求項１〜６いずれか記載の組立ユニット店舗構造において、前記間仕切り部材には、商品を展示する展示台が取付けられることを特徴とする。
【００２６】
この手段では、間仕切り部材に展示台取付けられるため、商品陳列棚やショーケース等の設置が不要となる。
【００２７】
また、請求項８では、請求項１〜６いずれか記載の組立ユニット店舗構造において、前記床パネルには照明装置が内蔵されていることを特徴とする。
【００２８】
この手段では、商品の展示、販売に適した照明効果を演出することが可能となるとともに、床面と壁面とで形成される領域の各区画に対応させて、各区画に配設されている床パネルを照明することで、各区画毎に異なる照明効果を演出することも可能となる。
【００２９】
また、請求項９では、請求項１〜８いずれか記載の組立ユニット店舗構造において、前記壁パネルには照明装置が内蔵されていることを特徴とする。
【００３０】
この手段では、請求項８と同様に、商品の展示、販売に適した照明効果を演出することが可能となるとともに、床面と壁面とで形成される領域の各区画に対応させて、各区画の近傍又は隣接する壁パネルを照明することで、各区画毎に異なる照明効果を演出することも可能となる。
【００３１】
また、請求項１０では、相互に連結可能な床パネルが配設されて形成される床面と、相互に連結可能な壁パネルが配設され、かつ、前記床パネルに連結されて形成される壁面とから構成される組立ユニット店舗構造において、前記床パネルに照明装置を内蔵し、前記床面と前記壁面とで形成される領域に配設される前記床パネルを前記照明装置により発光させて、前記領域内に複数の区画を形成することを特徴とする。
【００３２】
この手段では、請求項１と同様の作用が奏されるとともに、床面と壁面とで形成される領域に配設される床パネルを、床パネルに内蔵される照明装置の照明効果より発光させて、領域内に複数の区画を形成することが可能となり、仕切り版等の部材を不要とさせる。
【００３３】
また、請求項１１では、請求項１０記載の組立ユニット店舗構造において、前記壁パネルには、照明装置が内蔵されることを特徴とする。
【００３４】
この手段では、床パネルの照明効果により形成される領域内の各区画に対して、各区画に配設される床パネルの照明効果と同調又は独立させて照明効果を演出することが可能となる。
【００３５】
【発明の実施の形態】以下、本発明に係る組立ユニット店舗構造の実施の形態を図面に基づいて説明する。
【００３６】
図１〜図１０は、本発明に係る組立ユニット店舗構造の実施の形態（１）を示すものである。
【００３７】
この実施の形態（１）の組立ユニット店舗構造は、相互に連結可能な床パネル１が配設されて形成される床面と、相互に連結可能な壁パネル３が配設され、かつ、床パネル１に連結されて形成される壁面と、梁４と屋根５とから形成される天井面とで構成される。
【００３８】
さらに、床面と壁面とで形成される店舗等の販売領域内を複数の区画に形成するために、床面を構成する複数の床パネル１に連結される間仕切り部材４０が設けられる。
【００３９】
床パネル１は、２種類の床パネル１ａ、１ｂとから構成され、１つ種類の床パネル１ａは、図６に詳細に示されるように、角柱形の芯材１１の両面に平板形の板材１２、１３が固定され、剛性を有した構造に形成されている。芯材１１には、床パネル１ｂとの連結のための連結孔１４が穿設されている。この床パネル１ａは、他の１つ種類の床パネル１ｂよりも相対的に小形に形成されている。
【００４０】
他の１つの種類の床パネル１ｂは、図５に詳細に示されるように、上部を開放した箱形の外枠２１に窓枠２２を介して強化ガラス２３が張設されている。外枠２１の内部には、箱形を保形するための補強枠２４が嵌込まれている。窓枠２２、強化ガラス２３は、外枠２１の上部を完全に被う防水構造になっている。窓枠２２は、補強枠２４に積層された支持枠２５に支持されている。外枠２１、補強枠２４には、床パネル１ａや他の床パネル１ｂとの連結のための連結孔２６が穿設されている。
【００４１】
また、床パネル１ｂの窓枠２２、補強枠２４、支持枠２５には、間仕切り部材４０が連結される連結部２７が穿設されている。この床パネル１ｂは、前述の床パネル１ａよりも相対的に大形に形成され、複数の床パネル１ｂを敷詰めて床面を形成しやすいように平面形状が正方形になっている。そして、この中空構造の床パネル１ｂには、蛍光灯、発光ダイオード等からなる照明装置６が内蔵されている。
【００４２】
壁パネル３は、図５に詳細に示されるように、角柱形の芯材３１の両面に平板形の板材３２、３３が固定され、剛性を有した構造に形成されている。この壁パネル３は、配置位置に対応して横断面が略々Ｉ字形のものと略々Ｌ字形のものとが用意される。壁パネル３は、図４、図５に詳細に示されるように、一方の板材３２に係合突起３４が設けられ、他方の板材３３に係合溝３５が設けられて、一方の板材３２が芯材３１と他方の板材３３とに対して着脱可能になっている。この構造の壁パネル３は、一方の板材３２が強化ガラスとされるとともに、中空構造に蛍光灯、発光ダイオード等からなる照明装置６が内蔵されている。
【００４３】
１種類の床パネル１ａと壁パネル３（分割されたものについては下部分３ｂ）とは、床パネル１ａの芯材１と壁パネル３の芯材３１とに螺入されたネジ８で強固に固定されている。固定された床パネル１ａ、壁パネル３は、床パネル１ａの端縁に壁パネル３が起立されて、縦断面が略々Ｌ字形になっている。
【００４４】
間仕切り部材４０は、図６〜図８に示すように、床パネル１ｂの連結部２７に連結される支柱部材４１と、支柱部材４１間に設置される間仕切り板部材４２と、支柱部材４１に固定される板状の展示台４３とで構成される。支柱部材４１は、連結部２７に嵌合して連結又は固定されるとともに、展示台４３を固定するための係止部４４が設けられる。係止部４４は、支柱部材４１に複数箇所設けられ、商品等の展示、陳列に適合した展示高さに展示台４３を調整することが可能とさせている。
【００４５】
間仕切り板部材４２は、床面と壁面とで形成される販売領域内を複数の区画に形成するために配置される支柱部材４１間に配置される仕切り部材としての機能を有する。この間仕切り板部材４２は、床パネル１ｂの一辺の長さに合わせて形成され、例えば、２ブロックに渡る床パネル１ｂに間仕切り板部材４２を配設する場合は、２枚の間仕切り板部材を上記壁パネル３のように相互に連結して配設するように構成する。なお、予め２ブロック分、３ブロック分の長さを有する間仕切り板部材４２を形成して、任意に床パネル１ｂに連結される支柱部材４１間に配設するようにしても良い。
【００４６】
梁４は、壁パネル３の上端に掛渡される長尺板からなり、屋根５は、梁４の上に載せられる波板からなる。なお、床パネル１ａ、１ｂ、壁パネル３、梁４、屋根５は、好ましくは軽量で不燃性、難燃性の合成樹脂材で製造される。
【００４７】
次に、組立ユニット店舗構造の組立について説明する。
【００４８】
まず、組立ユニット店舗構造を設置する設置条件（駅構内、デパート等の屋内や屋外の展示会場やアニューズメントパーク等）から、商品を販売する販売領域が決められる（例えば、屋内では制限ある空間となるので、販売領域が自ずときまり、屋外等の制限のない空間であっても、商品の販売形態等で販売領域が任意に決められる）。この販売領域に対応した設置面Ｆ内に、設置面Ｆの領域に合わせて複数の床パネル１ｂを敷詰めて床面の大部分を形成する。例えば、設置面Ｆの領域が狭い場合、狭い領域に対応する数の床パネル１ｂが複数敷詰められ、逆に、設置面Ｆの領域が広い場合には、広い領域に対応する数の床パネル１ｂが複数敷詰められる。これら敷詰められた複数の床パネル１ｂは、連結孔２６を利用して押込みで装着され引張で引抜かれる連結ピン９で相互に連結される。
【００４９】
そして、床パネル１ｂの敷詰が完了した後には、形成された床面の周囲に対して、床パネル１ａと壁パネル３とが固定された略々Ｌ字形の構造部材を建込む。この略々Ｌ字形の構造部材は、略々Ｌ字形の底面を形成する床パネル１ａにより自立性があるため、壁パネル３を床パネル１に建込む作業が省かれ、建込み作業が容易になる。この略々Ｌ字形の構造部材を建込みは、壁パネル３に張詰による壁面の形成をもたらす。張詰られた壁パネル３は、Ｉ字形金具１０を利用してネジ止めで相互に連結される。また、敷詰られた床パネル１ａは、床パネル１ａ同士や先に敷詰られた床パネル１ｂとが前述のように連結孔１４、２６を利用して連結ピン９で相互に連結される。なお、前述の横断面が略々Ｌ字形の壁パネル３は、角部における突合わせての連結を不要にするとともに、２面の一体化で柱のような剛性を備えている。
【００５０】
この結果、床パネル１ａ、１ｂ、壁パネル３により、販売領域が形成されることになり、この後、壁パネル３には、梁４、屋根５が取付けられる。ただし、屋内に構築される場合には、梁４、屋根５の取付けを省略することもできる。
【００５１】
このように形成された組立ユニット店舗構造には、図６、図８に示すように、さらに、組立ユニット店舗構造内の領域を複数の販売区画に分割（間仕切る）する間仕切り部材４０が配設される。販売領域の形状（例えば、販売領域が正方形、凹凸形状等）により、商品の展示、陳列の配置（場所）が決められる。各商品の配置領域に対応する床パネル１ｂの連結部２７に支柱部材４１を連結し、連結された支柱部材４１間に間仕切り板部材４２を配設することで、複数の販売区画を形成する。そして、支柱部材４１の係止部４４に展示台４３を配設することで、商品の展示、陳列台（陳列棚等）を形成する。また、図７に示すように、この展示台４３は、支柱部材４１の高さ（長さ）に応じて、展示台４３を支柱部材４１に載置するように配設することも可能である。なお、支柱部材４１間に間仕切り板部材４２を配設して複数の販売区画を形成しているが、販売領域を組立ユニット店舗構造内外部から広く見せるため（間仕切り板部材４２により視界が区切られて狭く感じてしまうことを防ぐため）に、支柱部材４１のみの配設しても、複数の販売区画を形成することは可能である。間仕切り板部材４２を配設しないで支柱部材４１に設置される展示台４３に商品を展示、陳列することで、商品の露出度が高くなり販売促進等の効果が奏される可能性が高い。
【００５２】
また、解体に際しては、前述とは逆に、連結を離脱させて張詰、敷詰を除去することになる。まず、壁面を形成する略々Ｌ字形の構造部材を形成する底面の床パネル１ａと床面に敷詰められた床パネル１ｂとの連結を解除することで、壁面を解体し、続いて、床パネル１ｂを撤去等する。販売領域を拡大、縮小させるために作業に際しても、壁面を形成する略々Ｌ字形の構造部材を形成する底面の床パネル１ａと床面に敷詰められた床パネル１ｂとの連結を解除し、さらに、床パネル１ｂの敷詰め枚数を販売領域の拡大、縮小に合わせて増減して床面を再度形成するように行うことができる。
【００５３】
この実施の形態（１）によると、組立ユニット店舗構造を設置する設置条件に対して、複数の床パネル１ｂを敷詰めて相互に連結されて床面を形成し、複数の壁パネル３を相互に連結して壁面を形成するため、床パネル１ａ、１ｂ、壁パネル３の敷詰、張詰の枚数を調整することで、任意の販売領域を形成することが可能となる。さらには、入口、出口等を自由に設定可能となる（例えば、壁パネル３の上部分３ｃを残してＬ字形の構造部材を除去して、傾斜面が形成された踏板２０が設置する）。
【００５４】
さらに、床パネル１ａ、１ｂ、壁パネル３の各々が互いの独立ユニット化され、かつ、各々が直接的な連結のみで床面、壁面を形成することができ、組立の際の連結工事や解体の際の離脱工事が完全に共通化、標準化される。したがって、組立、解体が飛躍的に容易になるので、販売領域の拡大、縮小等の変更、調整が容易となる。
【００５５】
さらに、販売領域を拡大、縮小するための建込み作業等においては、床パネル１ａと壁パネル３とが固定された略々Ｌ字形の構造部材に構成されているため、壁面を形成する壁パネル３の解体等を、床面を形成する床パネル１ｂとは独立して行われるので、作業効率が向上される。また、横断面が略々Ｌ字形の壁パネル３は、角部における突合わせての連結を不要とするとともに、２面の一体化で柱のような剛性を備えているので、さらに作業効率が向上する。
【００５６】
また、各商品の配置領域に対応する床パネル１ｂの連結部２７に支柱部材４１を連結し、連結された支柱部材４１間に間仕切り板部材４２を配設することで、複数の販売区画が販売領域内に形成されるため、床パネル１ｂの１ブロック長毎の販売区画の最小単位が確立される。したがって、販売形態等の変更、調整等に伴う複数の販売区画の変更、調整が助成される（販売区画の最小単位での販売区画の形成ができ、販売区画の計画等が立て易い）。また、組立ユニット店舗構造を組立てる前後において自由に配設することが可能となるので、床面を形成する床パネル１ｂの敷詰め作業後であれば、任意の作業手順で行うことができる。
【００５７】
さらに、支柱部材４１の係止部４４に展示台４３を配設することで、商品の展示、陳列台（陳列棚等）が形成されるため、商品陳列棚等の搬入、設置作業を不要とさせるとともに、商品を効率よく展示、陳列させることが可能となる。また、組立ユニット店舗構造内の視界を良くする為、支柱部材４１のみの配設して複数の販売区画を形成することが可能であり、任意の販売区画方法が提供され、商品の展示、陳列、露出による効果が販売効率を向上させる。
【００５８】
また、床パネル１ｂに内蔵されている照明装置６が販売領域内部を明瞭に照明する。従って、照明装置等を取付ける電気工事が不要になり、床パネル１ｂに内蔵されている照明装置６に接続される電線は、外枠２１、補強枠２４を貫通するようにして目隠しされた状態で配線される。
【００５９】
さらには、販売領域内に形成された各販売区画の床パネル１ｂの照明装置６により照明することで、販売区画の範囲を明瞭させることも可能である。例えば、図９に示すように、間仕切り部材４０を配設しないで、形成したい販売区画Ａに対応する床パネル１ｂの照明を青色、販売区画Ｂに対応する床パネル１ａ、１ｂの照明を緑色、販売区画Ｃに対応する床パネル１ａ、１ｂの照明をオレンジ色に各々異なる色で照明することで、販売区画を形成することが可能となる。したがって、照明により発光していない床パネルが案内表示としての機能を果たすようになる。また、この照明装置６の照明機能を活用し、販売領域内の順路を示すように案内表示機能として作用させることも可能であり、商品に対する照明においても活用でき、装飾的機能を作用させることも可能である。（床パネル１ａに照明装置６を設けて配設することも可能である）。
【００６０】
また、壁パネル３に内蔵されている照明装置６は、外部に照明して組立てられた構造物の存在を明瞭にする。この照明装置６については、構造物の内部の照明を行うように構成することもでき、床パネル１ｂの装飾的機能や案内表示機能と同様な作用が奏され、床パネル１ｂとの組み合わせ照明により、販売区画をより明瞭に照明することが可能となる。
【００６１】
さらに、図１０に示すように、床パネル１ｂの一部に照明装置６ではなく画像表示器６０を内蔵させ、画像表示器６０に動画、静止画を表示させることで、床面を多目的に使用することができる。
【００６２】
図１１、図１２は、本発明に係る組立ユニット店舗構造の実施の形態（２）を示すものである。
【００６３】
この実施の形態（２）の組立ユニット店舗構造は、一部の壁パネル３に方形の窓７が開口されるように形成し、窓７に商品を展示若しくは販売する展示ユニットを配設する実施形態である。
【００６４】
一部の壁パネル３は、張詰により窓７を形成することができるよう上下方向で分割された壁パネル３ａ、３ｂとで構成される。窓７が形成される壁パネル３（分割された下部分３ｂ）とは、床パネル１の芯材１と壁パネル３の芯材３１とに螺入されたネジ８で強固に固定されている。固定された床パネル１，壁パネル３は、床パネル１の端縁に壁パネル３が起立されて、縦断面がＬ字形になっている。その他の構成、組立、解体手順（方法）等は、前述の実施の形態（１）と同様である。
【００６５】
展示ユニット３０は、商品を展示、陳列する機能を備え、実物の商品や画像、映像を組み合わせた商品の展示、陳列を行うように、画像表示装置、照明装置等を備えるようにしてもよい。通常は、販売領域内を見渡せるように透明なショーケース等に形成し、商品を販売領域内外から見渡せる構成が望ましい。
【００６６】
さらに、展示ユニット３０の内部には、商品を展示、陳列する展示陳列部３１が設けられ、展示陳列部３１を照明する照明装置６が展示陳列部３１の背面に位置するように設けられている。また、必要に応じて、展示陳列部３１又は照明装置６に画像表示装置等を組み合わせて設けることも可能である。
【００６７】
また、展示ユニット３０は、商品を展示、陳列する機能の他に商品の宣伝、広告情報を表示する機能を備えるように構成してもよい。例えば、画像表示装置、照明装置、ポスターや広告用紙等を設置する設置台等を設けて、商品のコマーシャルや商品説明等の音声、画像を含めた広告情報を配信させることも可能である。
【００６８】
さらに、展示ユニット３０に自動販売機の機能を設けることで、販売領域内（店舗内）での商品販売以外に、販売領域外（店舗外）での販売が可能となる。
【００６９】
このように構成される壁パネル３ａ、３ｂで形成される窓７は、展示ユニット３０の取付枠として使用されるが、窓７を出入口として使用する場合には、壁パネル３の上部分３ａを残してＬ字形の構造部材を除去して、傾斜面が形成された踏板２０が設置される。また、窓７をそのまま窓機能として使用しることも可能であり、ガラス板やアクリル板等を取付けることも可能である。
【００７０】
この実施の形態（２）によると、壁パネル３ａ、３ｂにより、窓７が形成されるので、展示ユニット３０の設置を可能とさせる。したがって、設置場所等に適合する壁面への展示ユニット３０の取付け（設置スペースにより展示ユニット３０を取付る壁面方向を変更することなど）が可能となるとともに、展示ユニット３０の変更（規格の違う展示ユニット）をする場合、変更される展示ユニット３０に適合する壁面を、壁パネルにより形成することが可能となる。
【００７１】
さらに、設置場所により展示ユニット３０を取付る壁面方向を変更することが容易にできるため、設置場所により活用できないスペース、例えば、屋内に組立ユニット店舗構造を組立てると、屋内の壁面等により人が通行できない方向（面）が必然と形成される場合がある。そのような場合、該面に展示ユニット３０を取付けるように壁パネル３ａ、３ｂを構成すれば、展示ユニット３０の取付けや取付け面、位置の変更、調整が容易にできる。即ち、任意の展示面、位置を確保することができる。
【００７２】
図１３は、本発明に係る組立ユニット店舗構造の実施の形態（３）を示すものである。
【００７３】
この実施の形態（３）の組立ユニット店舗構造は、前述の実施の形態（２）の展示ユニット３０の他に、自動販売機等の販売ユニット３１、画像、映像等の広告情報等を配信する情報ユニット３２等が販売領域内に配設される実施形態である。
【００７４】
無人販売ユニット３１は、自動販売機等の販売機能（商品選択部３１ａ、商品取り出し部３１ｂ）と商品展示機能３１ｃとを有し、展示ユニット３０と同様にユニット化されている。
【００７５】
情報ユニット３２は、展示ユニット３０に展示されている商品の広告・宣伝情報を画像、映像、音声等で配信するための表示装置３２ａや出力装置（液晶ディスプレイやステレオ装置、３次元立体映像装置等）が設けら、販売領域内（店内）の商品案内の他に、地域、町内等の自治体情報やイベント情報、企業情報等の配信を行うことが可能となる。特に、区役所や市役所等の役所に提出する書類や請求等の自治体サービス等が提供可能となる。また、この情報ユニット３２は、インターネット等のネットワークに接続して、Ｗｅｂ上で販売している商品を表示装置３２ａに表示し、店内に販売していない商品等の商品予約をその場で行う機能を備えるように構成することで、インターネット販売と店頭販売を融合させた複合販売形態を提供することも可能となる。
【００７６】
さらに、各ユニットを収容可能なユニット収容体３００が設けられ、ユニット収容体３００の収容空間３０１に、展示ユニット３０、無人販売ユニット３１、情報ユニット３２が任意の組み合わせで収容される。ユニット収容体３００は、床パネル１ａ、１ｂの１ブロック単位の大きさに形成されることが望ましく、任意に区画される販売区画に適合させるように形成されている。なお、各ユニットは、同じ形状、寸法に形成すれば、例えば、窓７に設置される展示ユニット３０の変わりに無人販売ユニット３１や情報ユニット３２を設置したり、ユニット収容体３００に展示ユニット３０を設置するなど、展示ユニット３０、無人販売ユニット３１、情報ユニット３２を自由に組み合わせ設置可能とさせる。
【００７７】
また、展示ユニット３０、無人販売ユニット３１、情報ユニット３２を販売領域内に自立させた状態で設置することも可能であり、例えば、支柱部材４１と床パネル１の連結部２７との連結構造を利用して、各ユニットに連結部２７に連結可能な連結部材を形成又は設置することで、販売区画に適応させた自由な販売空間を構築することが可能となる。
【００７８】
この実施の形態（３）によると、展示ユニット３０と同様な形状、寸法等に形成される無人販売ユニット３１や情報ユニット３２を窓７に設置することが可能となるため、ユニット化の機能を最大限に活かした販売空間の構築が容易に行われるとともに、ユニット化による汎用性、作業性が向上される。したがって、全方位（販売面等の方向、例えば、前面、背面、両側面）に向けての商品販売、宣伝を行うことが可能となり、販売空間の有効活用が実現される。
【００７９】
さらに、各ユニット、ユニット収容体３００を床パネル１ａ、１ｂの１ブロック単位の大きさに形成することで、各ユニットの設置等の作業が容易に行われ、組立ユニット店舗構造の汎用性がより向上される。なお、その他の作用、効果は前述の実施の形態と同様に奏される。
【００８０】
また、情報ユニット３２は、商品等に係る広告・宣伝情報の配信のみならず、地域、町内等の自治体情報やイベント情報、企業情報等の配信を行うことが可能とさせ、さらには、インターネット販売と店頭販売を融合させた複合販売形態を提供することも可能となる。したがって、実物商品の販売、宣伝とインターネットを利用した仮想店舗における商品の販売、宣伝とを融合させた複合販売形態が容易に提供され、販売機会の向上、消費者の販売意欲増加等の効果が奏される。
【００８１】
以上、図示した実施の形態の外に、壁パネル３を間仕切としても使用して、複数の販売区画を形成するように構成することもできる。
【００８２】
【発明の効果】以上のように、本発明に係る組立ユニット店舗構造は、設置条件に対して、複数の床パネルを敷詰めて相互に連結されて床面を形成し、複数の壁パネルを相互に連結して壁面を形成するため、床パネル、壁パネルの敷詰、張詰の枚数を調整することで、任意の販売領域を形成することが可能となる。
【００８３】
さらに、床パネル、壁パネルの各々が互いの独立ユニット化され、かつ、各々が直接的な連結のみで床面、壁面を形成することができ、組立の際の連結工事や解体の際の離脱工事が完全に共通化、標準化される。したがって、組立、解体が飛躍的に容易になるので、販売領域の拡大、縮小等の変更、調整が容易となる。
【００８４】
さらに、各商品の配置領域に対応する床パネルの連結部に間仕切り部材を連結することで複数の販売区画が販売領域内に形成されるため、床パネルの１ブロック長毎の販売区画の最小単位が確立されるので、販売形態等の変更、調整等に伴う複数の販売区画の変更、調整が助成される。
【００８５】
さらに、請求項１０では、販売領域内に形成された各販売区画の床パネルに設けられる照明装置より販売区画の範囲を明瞭化させるとともに、形成したい各販売区画の床パネルを各々異なる色で照明することで、販売区画を形成することが可能となる。即ち、間仕切り部材を配設することなしに照明装置の照明機能を活用することで、販売領域内の視野を妨げることのない複数の販売区画形成が可能となる。
【図面の簡単な説明】
【図１】本発明に係る組立式構造物の実施の形態（１）を示す一部組立状態の斜視図である。
【図２】図１からさらに組立を進行させた斜視図である。
【図３】図２からさらに組立を進行させた斜視図である。
【図４】図１に係る床パネルと壁パネルの要部の分解状態の拡大斜視図である。
【図５】図４の連結状態における拡大縦断面図である。
【図６】図１に係る床パネルと間仕切り部材との連結状態を示す要部拡大斜視図である。
【図７】図６の他形態の要部拡大斜視図である。
【図８】本発明に係る組立ユニット店舗構造内に販売区画を形成する間仕切り部材が設置された状態を示す斜視図である。
【図９】本発明に係る組立ユニット店舗構造内に、照明により販売区画が形成された状態を示す斜視図である。
【図１０】本発明に係る組立ユニット店舗構造に係る床パネルの別形態を示す要部拡大斜視図である。
【図１１】本発明に係る組立ユニット店舗構造の実施の形態（２）を示す斜視図である。
【図１２】図１１からさらに組立を進行させた斜視図である。
【図１３】本発明に係る組立ユニット店舗構造の実施の形態（３）を示す斜視図である。
【符号の説明】
１ａ、１ｂ    床パネル
３            壁パネル
６                        照明装置
７            窓
２７            連結部
３０            展示ユニット
４０            間仕切り部材
【図１】
2004332246.tif 000003
【図２】
2004332246.tif 000004
【図３】
2004332246.tif 000005
【図４】
2004332246.tif 000006
【図５】
2004332246.tif 000007
【図６】
2004332246.tif 000008
【図７】
2004332246.tif 000009
【図８】
2004332246.tif 000010
【図９】
2004332246.tif 000011
【図１０】
2004332246.tif 000012
【図１１】
2004332246.tif 000013
【図１２】
2004332246.tif 000014
【図１３】
2004332246.tif 000015